(57)【特許請求の範囲】
【請求項１】
周縁部を保持された状態で引き伸ばされたフィルムによって被包装物を覆うことにより前記被包装物を包装する包装装置であって、
前記フィルムが巻回されたフィルムロールから前記フィルムを送り出す送出部と、
前記送出部から送り出される前記フィルムを挟んで送る第１クランプ部と、前記第１クランプ部から送られる前記フィルムを、前記送り出し方向である第１方向に搬送する第１フィーダ部と、を有する第１搬送部と、
前記送出部から送り出される前記フィルムを前記第１クランプ部とは独立して挟んで送る第２クランプ部と、前記第２クランプ部から送られる前記フィルムを、前記第１方向に搬送する第２フィーダ部と、を有する第２搬送部と、
前記第１搬送部を前記フィルムの幅方向である第２方向に移動させる第１移動部と、
前記第２搬送部を前記第２方向に移動させる第２移動部と、
前記第１搬送部、前記第２搬送部、前記第１移動部及び前記第２移動部の動作を制御する制御部と、を備え、
前記制御部は、前記フィルムを前記第１搬送部及び前記第２搬送部にローディングするときに、前記送出部により送り出される前記フィルムを、前記第１クランプ部で挟んで送ると共に前記第１フィーダ部により前記フィルムを搬送させ、前記第１移動部又は前記第２移動部が前記第２方向に移動中に、前記第２クランプ部を開放して前記フィルムを挟まずに送ることにより又は前記第２クランプ部で断続的に挟んで送ることにより前記第２フィーダ部により前記フィルムを搬送させ、更に前記第２搬送部を前記第１搬送部に対して離間する方向に移動させ、前記第２搬送部が前記第２方向において所定位置に到達したときに前記第２クランプ部で前記フィルムを挟んで送る、包装装置。
【請求項２】
前記送出部と前記第１搬送部及び前記第２搬送部との間で前記フィルムを切断する切断部を備え、
前記制御部は、前記切断部によって前記フィルムを切断させた後、閉じている前記第１クランプ部及び前記第２クランプ部を開放させる、請求項１に記載の包装装置。
【請求項３】
前記所定位置は、前記フィルムの幅方向の１／２以上の位置である、請求項１又は２に記載の包装装置。
【発明の詳細な説明】
【技術分野】
【０００１】
本発明は、包装装置に関する。
【背景技術】
【０００２】
従来の包装装置として、例えば、特許文献１に記載されている装置が知られている。特許文献１に記載の包装装置は、フィルムロールを新たにセットする際、フィルムロールからフィルムを送り出す送出部と、送出部によって送り出されたフィルムを第１及び第２クランプ部のそれぞれにより保持してフィルムを長手方向に送る第１及び第２フィーダ部と、第１及び第２フィーダ部のフィルム幅方向の相対距離を変化させる移動部と、第１及び第２フィーダ部のフィルム幅方向の相対距離を移動部により大きくしながら、第１及び第２フィーダ部によりフィルムをフィルム長手方向に送らせる制御部と、を備えている。
【先行技術文献】
【特許文献】
【０００３】
【特許文献１】特開２００１−１０６２０２号公報
【発明の概要】
【発明が解決しようとする課題】
【０００４】
従来の包装装置では、送出部によって送り出されたフィルムを第１クランプ部及び第２クランプ部により保持し、第１フィーダ部及び第２フィーダ部でフィルムを搬送している。このとき、例えば、フィルムが粘着性を有している場合には、フィルムがフィーダ部に貼り付くことにより、フィルムのフィードが停滞し、フィーダ部内にフィルムの束（塊）が発生することがある。この場合、フィーダ部においてフィルムが詰まり、フィーダ部を駆動させる駆動部等に負荷が加わる等といった不具合が生じ得る。
【０００５】
本発明は、フィルム詰まりによる不具合の発生を抑制できる包装装置を提供することを目的とする。
【課題を解決するための手段】
【０００６】
本発明に係る包装装置は、周縁部を保持された状態で引き伸ばされたフィルムによって被包装物を覆うことにより被包装物を包装する包装装置であって、フィルムが巻回されたフィルムロールからフィルムを送り出す送出部と、送出部から送り出されたフィルムを挟持する第１クランプ部と、第１クランプ部で挟持されたフィルムを、当該フィルムの繰り出し方向である第１方向に搬送する第１フィーダ部と、を有する第１搬送部と、送出部から送り出されたフィルムを挟持する第２クランプ部と、第２クランプ部で挟持されたフィルムを第１方向に搬送する第２フィーダ部と、を有する第２搬送部と、第１搬送部をフィルムの幅方向である第２方向に移動させる第１移動部と、第２搬送部を第２方向に移動させる第２移動部と、第１搬送部、第２搬送部、第１移動部及び第２移動部の動作を制御する制御部と、を備え、制御部は、フィルムを第１搬送部及び第２搬送部にローディングするときに、送出部により送り出されたフィルムを第１クランプ部で挟持すると共に第１フィーダ部によりフィルムを搬送させつつ、第２クランプ部を開放又は送出部により送り出されたフィルムを第２クランプ部で断続的に挟持させながら第２フィーダ部によりフィルムを搬送させると共に、第２搬送部を第１搬送部に対して離間する方向に移動させ、第２搬送部が第２方向において所定位置に到達したときに第２クランプ部によりフィルムを挟持させる。
【０００７】
この包装装置では、制御部は、第２クランプ部を開放又は送出部により送り出されたフィルムを第２クランプ部で断続的に挟持させながら第２フィーダ部によりフィルムを搬送させ、第２搬送部が第２方向において所定位置（フィルム幅方向の所定位置）に到達したときに第２クランプ部によりフィルムを挟持させる。これにより、フィルムは、第２搬送部が第２方向の所定の位置に到達するまでは、第２クランプ部に挟持されない、又は、第２クランプ部により断続的に挟持されている。そのため、少なくとも所定の位置まではフィルムが第２フィーダ部に貼り付くことを抑制でき、第２フィーダ部内にフィルムの束が発生することを抑制できる。したがって、包装装置では、フィルム詰まりによる不具合の発生を抑制できる。
【０００８】
一実施形態においては、送出部と第１搬送部及び第２搬送部との間でフィルムを切断する切断部を備え、制御部は、切断部によってフィルムを切断させた後、第１クランプ部及び第２クランプ部によるフィルムの挟持を解除させてもよい。これにより、切断されたフィルムを、作業者が容易に取り除くことができる。
【０００９】
一実施形態においては、所定位置は、フィルムの幅方向の１／２以上の位置であってもよい。これにより、フィルムがフィーダに貼り付くことをより一層抑制できる。
【発明の効果】
【００１０】
本発明によれば、フィルム詰まりによる不具合の発生を抑制できる。
【図面の簡単な説明】
【００１１】
【図１】図１は、一実施形態に係る包装装置を示す外観斜視図である。
【図２】図２は、図１の包装装置の内部を示す概略正面図である。
【図３】図３は、図２のIII−III線に沿う概略矢視図である。
【図４】図４は、包装装置の平面概略図である。
【図５】図５は、図１の包装装置の構成を示すブロック図である。
【図６】図６（ａ）〜図６（ｃ）は、フィルム送り出し機構を示す斜視図である。
【図７】ローディングユニットを示す図である。
【図８】図８は、フィルム送り出し機構、カッター機構及びフィルム搬送機構を示す斜視図である。
【図９】図９は、第１フィーダユニット（第２フィーダユニット）を示す図である。
【図１０】図１０は、ローディング動作を示す図である。
【図１１】図１１は、ローディング動作を示す図である。
【図１２】図１２は、ローディング動作を示す図である。
【発明を実施するための形態】
【００１２】
以下、添付図面を参照して、本発明の好適な実施形態について詳細に説明する。なお、図面の説明において同一又は相当要素には同一符号を付し、重複する説明は省略する。
【００１３】
図１〜図３に示されるように、包装装置１は、食料品等の商品Ｇ及び該商品Ｇが載せられたトレーＴを含む対象物（被包装物）Ｗのフィルム包装を行う装置である。包装装置１は、緊張保持させたフィルムＦに対して対象物Ｗを押し上げ、フィルムＦの周辺部をトレーＴの底面側に折り込むことによって、対象物ＷをフィルムＦで包装する。包装装置１は、フィルム包装機能に加えて、計量機能及びラベル貼付による値付機能を備える。
【００１４】
包装装置１は、計量搬入機構２と、包装ステーション３と、ロール保持機構４と、フィルム送り出し機構（送出部）５と、フィルム搬送機構６と、カッター機構（切断部）７と、シール機構８と、ラベルプリンターＬＰと、ラベル発行機ＬＩと、制御装置９と、を含む。包装装置１に含まれる各機構は、包装装置１の本体１ａ及びケーシング１ｂに収容される。ケーシング１ｂは、本体１ａの側部に取り付けられる。
【００１５】
なお、本実施形態の説明において、「左右」とは、包装装置１の本体１ａの正面に向かって左右を意味する。包装装置１の前後方向における前側を「手前側」と称し、その反対側を「奥側」と称する。フィルムＦ１，Ｆ２とは、フィルムＦ１及びフィルムＦ２のうちの任意の一方を意味し、単にフィルムＦとも称する。フィルムロールＲ１，Ｒ２とは、フィルムロールＲ１及びフィルムロールＲ２のうち任意の一方を意味する。「上流」及び「下流」は、フィルムＦの搬送方向上流及び搬送方向下流をそれぞれ意味する。
【００１６】
図３に示されるように、計量搬入機構２は、計量器２ａと、搬入ベルト２ｂと、計量皿１２と、を有する。計量器２ａは、計量皿１２に載置された対象物Ｗを計量し、対象物Ｗの重量を示す情報を制御装置９に出力する。搬入ベルト２ｂは、一対のローラ間に掛け渡される。搬入ベルト２ｂには、対象物Ｗの搬送用の搬送バー１３が設けられる。搬送バー１３は、搬入ベルト２ｂの駆動に従って奥側へと移動し、対象物Ｗを奥側に押し出す。搬送バー１３は、計量皿１２の幅方向に沿って延在し、初期位置においては計量皿１２よりも手前側に位置する。計量皿１２は、対象物Ｗを載置する矩形浅皿状のトレーである。
【００１７】
包装ステーション３は、本体１ａ内に形成される空間である。包装ステーション３は、計量搬入機構２によって計量された対象物Ｗに一連のフィルム包装処理を施す空間である。包装ステーション３には、リフター機構３０と、折り込み機構３７と、が配置される。
【００１８】
リフター機構３０は、包装ステーション３の下部に設けられる。リフター機構３０は、トレーＴの底面を複数の支持部材３３で受け、この支持部材３３に固定された支持ベース３１を電動ボールネジ機構３４によって上方に移動させる。これにより、リフター機構３０は、トレーＴの底面を保持して対象物Ｗを上方に移動させる。リフター機構３０は、フィルム搬送機構６によって緊張保持されたフィルム（ストレッチフィルム）Ｆ１，Ｆ２に対して、対象物Ｗを突き上げる。
【００１９】
折り込み機構３７は、リフター機構３０によって突き上げられた対象物Ｗの底面側（すなわち、トレーＴの底面側）にフィルムＦ１，Ｆ２の周囲の部分を折り込み、フィルムＦ１，Ｆ２で対象物Ｗを覆う。折り込み機構３７は、フィルムＦ１，Ｆ２のフィルム搬送方向両端部を、トレーＴの底面側に左右折り込み板７６，７７によって折り込む。折り込み機構３７は、フィルムＦ１，Ｆ２の幅方向奥側の側部を、トレーＴの底面側に後折り込み板７８によって折り込む。折り込み機構３７は、排出プッシャー７９ａによってトレーＴがシール機構８側に排出される際に、フィルムＦ１，Ｆ２の幅方向手前側の側部を、トレーＴの底面側に前折り込み棒７９によって折り込む。
【００２０】
ロール保持機構４は、図１及び図２に示されるように、ケーシング１ｂに設置される。ロール保持機構４は、互いに同じ又は異なる種別の２本のフィルムロールＲ１，Ｒ２を保持する構成を有する。各フィルムロールＲ１，Ｒ２には、所定幅のフィルムＦ１，Ｆ２が多重に巻き付けられる。
【００２１】
図２に示されるように、ロール保持機構４は、フィルムロールＲ１を保持する上側ロール保持部４１と、フィルムロールＲ２を保持する下側ロール保持部４２と、上側ロール保持部４１及び下側ロール保持部４２を選択的に回転させてフィルムロールＲ１，Ｒ２の何れか一方からフィルムＦ１又はフィルムＦ２を繰り出させるロール駆動部４３と、を含む。
【００２２】
フィルム送り出し機構５は、フィルムロールＲ１から引き出されたフィルムＦ１又はフィルムロールＲ２から引き出されたフィルムＦ２を、フィルム搬送機構６の一対のフィーダユニット６１，６２に引き渡す機構である。フィルム送り出し機構５は、ケーシング１ｂに設置される。
【００２３】
フィルム送り出し機構５は、図６（ａ）〜図６（ｃ）に示されるように、ローディングユニット移動フレーム５１と、ローディングユニット７０と、ローディングユニット駆動モータ５２（図２参照）と、を含む。
【００２４】
ローディングユニット移動フレーム５１は、ケーシング１ｂの上方（ロール保持機構４の上方）に配置される。ローディングユニット移動フレーム５１は、後述するローディングユニット回転軸７０ａを回転自在に支持する。ローディングユニット移動フレーム５１は、リンク機構により、水平方向に移動可能に設けられる。具体的には、ローディングユニット移動フレーム５１は、フィルム搬送機構６から最も離れた第１位置と、フィルム搬送機構６に最も近づいた第２位置との間を移動する。
【００２５】
ローディングユニット７０は、ローディングユニット移動フレーム５１に取り付けられる。ローディングユニット７０は、第１把持ユニット７１と、第２把持ユニット７２と、ローディングユニット回転軸７０ａと、を有する。
【００２６】
図７に示されるように、第１把持ユニット７１及び第２把持ユニット７２は、ローディングユニット回転軸７０ａに取り付けられる。第１把持ユニット７１及び第２把持ユニット７２は、基準線Ｌに対して左右対称の位置に配置される。基準線Ｌは、ローディングユニット回転軸７０ａの中心からローディングユニット移動フレーム５１の高さ方向に沿って仮想的に延ばした直線である。第１把持ユニット７１および第２把持ユニット７２は、Ｖ字形状を呈する。
【００２７】
第１把持ユニット７１は、２枚の板部材７１ａ，７１ｂと、ワンウェイローラ７１ｃと、を有する。２枚の板部材７１ａ，７１ｂは、一端が図示しないヒンジで連結される。図４に示されるように、板部材７１ｂは、ヒンジを中心として板部材７１ａに対して回動し、板部材７１ａに対して開閉可能に設けられる。ワンウェイローラ７１ｃは、一方向のみの回転を許容するローラである（図７の矢印Ａ１方向）。ワンウェイローラ７１ｃは、板部材７１ａの長手方向（フィルム幅方向）に沿って複数設けられる。ワンウェイローラ７１ｃは、板部材７１ａと板部材７１ｂとに挟まれたフィルムＦ１が下方に抜け落ちないようにフィルムＦ１を保持する。
【００２８】
図７に示されるように、第２把持ユニット７２は、２枚の板部材７２ａ，７２ｂと、ワンウェイローラ７２ｃと、を有する。２枚の板部材７２ａ，７２ｂは、一端が図示しないヒンジで連結される。図４に示されるように、板部材７２ｂは、ヒンジを中心として板部材７２ａに対して回動し、板部材７２ａに対して開閉可能に設けられる。ワンウェイローラ７２ｃは、一方向のみの回転を許容するローラである（図７の矢印Ａ１方向）。ワンウェイローラ７２ｃは、板部材７２ａの長手方向（フィルム幅方向）に沿って複数設けられる。ワンウェイローラ７２ｃは、板部材７２ａと板部材７２ｂとに挟まれたフィルムＦ２が下方に抜け落ちないようにフィルムＦ２を保持する。
【００２９】
第１把持ユニット７１及び第２把持ユニット７２は、使用するフィルムの種類（フィルムＦ１又はフィルムＦ２）によって使い分けられる。第１把持ユニット７１は、フィルムＦ１を把持するユニットである。第２把持ユニット７２は、フィルムＦ２を把持するユニットである。第１把持ユニット７１及び第２把持ユニット７２は、フィルムＦ１，Ｆ２の送り出しが可能なように、ケーシング１ｂの奥行き方向に所定の長さを有する。
【００３０】
ローディングユニット回転軸７０ａは、ローディングユニット移動フレーム５１に対し、回転自在に支持される。ローディングユニット回転軸７０ａは、ローディングユニット駆動モータ５２（図２参照）によって駆動される。ローディングユニット回転軸７０ａの回転角度を変更することにより、ローディングユニット７０は、図６（ａ）〜図６（ｃ）に示されるように姿勢を変更する。
【００３１】
図６（ａ）に示されるように、ローディングユニット７０は、第１把持ユニット７１にフィルムＦ１を把持させる、又は、第２把持ユニット７２にフィルムＦ２を把持させる場合には、第１把持ユニット７１及び第２把持ユニット７２が基準線Ｌに対して対称の位置となる（ローディングポジション）。
【００３２】
図６（ｂ）に示されるように、ローディングユニット７０は、第１把持ユニット７１がフィルムＦ１をフィルム搬送機構６に受け渡す（送り出す）場合には、第１把持ユニット７１が水平面に対して平行になるまで傾けられる（フィーディングポジション）。これにより、フィルムＦ１は、第１把持ユニット７１の先端からフィルム搬送機構６に対して水平方向に送り出される。
【００３３】
図６（ｃ）に示されるように、ローディングユニット７０は、第２把持ユニット７２がフィルムＦ２をフィルム搬送機構６に受け渡す場合には、第２把持ユニット７２が水平面に対して平行になるまで傾けられる（フィーディングポジション）。これにより、フィルムＦ２は、第２把持ユニット７２の先端からフィルム搬送機構６に対して水平方向に送り出される。
【００３４】
図２及び図３に示されるように、フィルム搬送機構６は、フィルム送り出し機構５からフィルムＦを受け取り、包装ステーション３へとフィルムＦを搬送する。また、フィルム搬送機構６は、フィルム送り出し機構５から受け取ったフィルムＦを、包装ステーション３の中央部分で緊張保持する。フィルム搬送機構６は、第１フィーダユニット（第１搬送部）６１と、第２フィーダユニット（第２搬送部）６２と、第１フィーダ移動ユニット（第１移動部）６３と、第２フィーダ移動ユニット（第２移動部）６４と、フィーダ駆動ユニット６５と、を含んで構成される。
【００３５】
図４に示されるように、第１フィーダユニット６１は、包装装置１の前後方向における手前側に配置される。第２フィーダユニット６２は、第１フィーダユニット６１よりも、包装装置１の前後方向における奥側に配置される。第１フィーダユニット６１及び第２フィーダユニット６２は、フィルムＦの長手方向に沿って配置される。第１フィーダユニット６１及び第２フィーダユニット６２は、フィーダ駆動ユニット６５によって駆動され、フィルムＦを搬送する。
【００３６】
第１フィーダユニット６１及び第２フィーダユニット６２の長手方向の両端部には、図４に示されるように、フィルムＦの幅方向に延びるスライドシャフト６６，６７が設けられる。スライドシャフト６６，６７は、第１フィーダユニット６１及び第２フィーダユニット６２を支持する。第１フィーダユニット６１及び第２フィーダユニット６２は、第１フィーダ移動ユニット６３及び第２フィーダ移動ユニット６４のそれぞれによって駆動され、スライドシャフト６６，６７に沿ってフィルム幅方向に移動する。
【００３７】
第１フィーダユニット６１及び第２フィーダユニット６２は、同様の構成を有する。以下では、図８及び図９を参照して、第１フィーダユニット６１の構成を一例に具体的に説明する。
【００３８】
第１フィーダユニット６１は、導入ユニット（第１クランプ部）２２Ａと、下ベルト２３Ａと、上ベルト２４Ａと、上流域クランプ２５Ａ、中流域クランプ２６Ａ、下流域クランプ２７Ａと、を有する。これら各部は、支持するフレーム２１により支持される。下ベルト２３Ａ及び上ベルト２４Ａは、フィルムＦを搬送する第１フィーダ部を構成する。
【００３９】
導入ユニット２２Ａは、フィルム送り出し機構５から送り出されたフィルムＦを挟持し、下ベルト２３Ａと上ベルト２４Ａとの間に、フィルムＦを導入する。導入ユニット２２Ａは、第１フィーダユニット６１の上流側、すなわち、ローディングユニット７０の近傍に配置される（図８参照）。図９（ｃ）に示されるように、導入ユニット２２Ａは、下ベルト２３Ａと重なる位置に設けられる。
【００４０】
導入ユニット２２Ａは、導入ユニット回動軸２２ｂを中心に揺動可能に設けられた本体部２２ｃを有する。導入ユニット回動軸２２ｂは、本体部２２ｃの下流側の端部に設けられる。導入ユニット回動軸２２ｂは、フレーム２１に支持される。本体部２２ｃは、ソレノイド（図示しない）の作動により揺動する。具体的には、本体部２２ｃは、ソレノイドの作動により、本体部２２ｃの上流側の端部が下ベルト２３Ａに接近した下位置と、本体部２２ｃの上流側の端部が下ベルト２３Ａから離れた上位置との間の範囲で揺動する。導入ユニット２２Ａは、本体部２２ｃが下位置のときにフィルムＦを挟持し、本体部２２ｃが上位置ときはフィルムＦを挟持しない。
【００４１】
本体部２２ｃの他端部（フィルム送り出し機構５側の端部）には、導入プーリ２２ａが回転自在に設けられる。導入プーリ２２ａには、上ベルト２４Ａが掛けられる。
【００４２】
下ベルト２３Ａは、フィルムＦに下から接触する。下ベルト２３Ａは、図９（ｂ）に示されるように、複数のプーリに掛け渡される。複数のプーリには、プーリ２１ｂと、プーリ２１ｃと、が含まれる。プーリ２１ｂは、フィルムＦの搬送方向上流側に配置される。プーリ２１ｃは、フィルムＦの搬送方向下流側に配置される。プーリ２１ｃは、駆動モータにより回転する。プーリ２１ｂは、プーリ２１ｃの動きに従動する。駆動モータによるプーリ２１ｃの駆動により、第１フィーダユニット６１の下ベルト２３Ａが動作する。
【００４３】
上ベルト２４Ａは、図９（ｂ）に示されるように、複数のプーリに掛け渡される。複数のプーリには、導入ユニット２２Ａの導入プーリ２２ａと、プーリ２４ａと、が含まれる。プーリ２４ａは、フィルムＦの搬送方向下流側に配置される。プーリ２４ａは、プーリ２１ｃを回転させる駆動モータにより回転する。これにより、上ベルト２４Ａは、下ベルト２３Ａと共に駆動する。以上の構成により、第１フィーダユニット６１は、上ベルト２４Ａと下ベルト２３Ａとの間にフィルムを巻き込み、フィルムＦが繰り出されるフィルムＦの長手方向（第１方向）にフィルムＦを搬送する。
【００４４】
図９（ｃ）に示されるように、上流域クランプ２５Ａは、フィルムの搬送方向上流側に配置される。下流域クランプ２７Ａは、フィルムの搬送方向下流側に配置される。中流域クランプ２６Ａは、上流域クランプ２５Ａ及び下流域クランプ２７Ａの間に配置される。各クランプ２５Ａ〜２７Ａは、ベルト２３，２４とずれた位置に配置される。具体的には、各クランプ２５Ａ〜２７Ａは、フィルムＦの幅方向に対して、ベルト２３，２４の内側に配置される。各クランプ２５Ａ〜２７Ａの下方には、帯板２１ａが配置される。
【００４５】
各クランプ２５Ａ〜２７Ａは、図示しないソレノイドのオン／オフ切り替えによって作動する。具体的には、各クランプ２５Ａ〜２７Ａは、ソレノイドのオン／オフ切り替えにより、フィルムＦを挟持したり、フィルムＦを解放したりする。各クランプ２５Ａ〜２７Ａは、ソレノイドがオンのとき、フィルムＦ１，Ｆ２の上面に接触して下向きの力を加える。これにより、各クランプ２５Ａ〜２７Ａは、帯板２１ａとの間で、フィルムＦを挟持する。各クランプ２５Ａ〜２７Ａは、ソレノイドがオフのとき、フィルムＦの挟持を開放する。ソレノイドは、所定のタイミングで、オンに切り替えられる。
【００４６】
第２フィーダユニット６２は、第１フィーダユニット６１と同様の構成を有する。すなわち、第２フィーダユニット６２は、導入ユニット（第２クランプ部）２２Ｂと、下ベルト２３Ｂと、上ベルト２４Ｂと、上流域クランプ２５Ｂ、中流域クランプ２６Ｂ、下流域クランプ２７Ｂと、を有する。これら各部は、支持するフレーム２１により支持される。下ベルト２３Ｂ及び上ベルト２４Ｂは、フィルムＦを搬送する第２フィーダ部を構成する。
【００４７】
第１フィーダ移動ユニット６３は、第１フィーダユニット６１の下方に取り付けられる。図３に示されるように、第１フィーダ移動ユニット６３は、駆動モータ６３ａと、ベルト６３ｂと、を有する。第２フィーダ移動ユニット６４は、第２フィーダユニット６２の下方に取り付けられる。図３に示されるように、第２フィーダ移動ユニット６４は、駆動モータ６４ａと、ベルト６４ｂと、を有する。
【００４８】
第１フィーダ移動ユニット６３は、駆動モータ６３ａによってベルト６３ｂを駆動させることにより、第１フィーダユニット６１をスライドシャフト６６，６７に沿ってフィルムＦの幅方向（第２方向）に移動させる。第２フィーダ移動ユニット６４は、駆動モータ６４ａによってベルト６４ｂを駆動させることにより、第２フィーダユニット６２をスライドシャフト６６，６７に沿ってフィルムＦの幅方向に移動させる。
【００４９】
図２に示されるように、カッター機構７は、フィルム送り出し機構５がフィルム搬送機構６へフィルムＦを受け渡した後、フィルム送り出し機構５とフィルム搬送機構６との間で張られたフィルムＦを切断する。カッター機構７は、フィルム搬送機構６がフィルムＦを所定量搬送した後に、フィルム送り出し機構５とフィルム搬送機構６との間で張られたフィルムＦを切断する。カッター機構７は、フィルム送り出し機構５とフィルム搬送機構６との間に配置され、フィルムＦのフィルム幅よりも長い切断刃７ａを有する。切断刃７ａは、アクチュエータによって上下方向に移動させられる。
【００５０】
シール機構８は、折り込み機構３７により折り込まれたフィルムＦを熱シールする。シール機構８は、搬送ローラ及び加熱ローラを有し、排出プッシャー７９ａで押し出された対象物Ｗを搬送ローラ及び加熱ローラによって搬送しつつヒートシールする。シール機構８は、包装済みの対象物Ｗを排出台８２に向かって排出する。
【００５１】
図１及び図５に示されるように、ラベルプリンターＬＰは、物品に関する情報をラベルに印字する。物品に関する情報とは、例えば商品名及び値段等である。ラベル発行機ＬＩは、ラベルプリンターＬＰによって印字されたラベルを、排出された包装済みの商品に貼り付ける。
【００５２】
制御装置９は、本体１ａの上部に配置されるコンピュータである。制御装置９は、上記の各機構の作動を制御する。制御装置９は、外部との信号の入出力等を行う入出力インターフェースＩ／Ｏ、処理を行うためのプログラム及び情報等が記憶されたＲＯＭ（Read Only Memory）、データを一時的に記憶するＲＡＭ（RandomAccess Memory）、ＨＤＤ（Hard Disk Drive）等の記憶媒体、ＣＰＵ（Central Processing Unit）、及び通信回路等を有する。制御装置９は、ＣＰＵが出力する信号に基づいて、入力データをＲＡＭに記憶し、ＲＯＭに記憶されているプログラムをＲＡＭにロードし、ＲＡＭにロードされたプログラムを実行することで、各機能を実現する。
【００５３】
制御装置９には、表示パネル１６及び操作部１７が接続される。表示パネル１６は、例えばタッチパネル式のディスプレイであり、ディスプレイには、操作ボタンも表示される。操作部１７では、ユーザによる各種の操作及び入力が行われる。
【００５４】
制御装置９は、記憶部９ａ及び制御部９ｂを含む。記憶部９ａには、予め設定された、表示パネル１６や操作部１７等から入力された、あるいは、外部装置から転送された各種データが記憶されている。各種データには、複数種のフィルムＦの性状（厚みや材質、フィルム幅等）に関するデータ、複数種の商品Ｇの単価データや性状に関するデータ、複数種のトレーＴの性状（大きさ、形状、材質、風袋重量等）に関するデータ等が含まれる。
【００５５】
制御部９ｂは、各機構の動作を制御する。制御部９ｂの詳細な動作については後述する。
【００５６】
このような制御装置９は、記憶部９ａの各種データを参照し、計量搬入機構２で計量した対象物Ｗの重量及び／又はトレーサイズに基づいて、対象物Ｗの価格の算出等を行う。制御装置９は、ラベルプリンターＬＰ及びラベル発行機ＬＩの動作を制御し、対象物Ｗの重量又は価格等をラベルに印字する。
【００５７】
次に、包装装置１における包装動作を概略説明する。
【００５８】
包装装置１では、ユーザにより計量搬入機構２の計量皿１２に対象物Ｗが載置された場合、対象物Ｗが計量器２ａで計量される。対象物Ｗは、搬送バー１３によってリフター機構３０の支持部材３３上に押し出される。一方、フィルム送り出し機構５によってフィルム搬送機構６へとフィルムＦが受け渡され、フィルムＦがカッター機構７で切断されて１枚の長方形状のフィルムＦとなる。フィルムＦは、リフター機構３０の上方まで両フィーダユニット６１，６２によって運ばれ、その幅方向両側部が緊張保持される。
【００５９】
緊張保持されたフィルムＦに対してリフター機構３０によって対象物Ｗが押し上げられ、対象物Ｗを覆うようにフィルムＦが伸張される。折り込み機構３７によってフィルムＦの周囲がトレーＴの下側に折り込まれる。排出プッシャー７９ａによって対象物Ｗがシール機構８側に押し出される。そして、シール機構８によってフィルムＦが熱シールされた後、排出台８２上に排出される。
【００６０】
なお、ラベル貼付を含む処理を実行する場合には、計量値に基づいて算出される商品Ｇの値段や重量等がラベルプリンターＬＰによってラベルに印字され、当該ラベルがラベル発行機ＬＩによりフィルムＦに貼付される。
【００６１】
次に、包装装置１におけるローディング動作を、図１０〜図１２を参照して説明する。以下の説明では、フィルムロールＲ１を新たにセットして、フィルムＦ１をローディングする動作を一例に説明する。
【００６２】
包装装置１では、作業者によってフィルムセットボタン（図示しない）が押下されると、制御部９ｂは、フィルム送り出し機構５のローディングユニット駆動モータ５２を駆動させて、図１０（ａ）に示されるように、ローディングユニット７０をローディングポジションに移動させる。作業者は、フィルムロールＲ１からフィルムＦ１の端部を引き出し、ローディングユニット７０の第１把持ユニット７１にフィルムＦ１をセットする。具体的には、作業者は、第１把持ユニット７１の板部材７１ｂを板部材７１ａに対して開いて、フィルムＦ１をセットする。
【００６３】
次に、制御部９ｂは、作業者によってフィルムローディングボタン（図示しない）が押下されると、ローディングユニット駆動モータ５２を駆動させて、図１０（ａ）に示されるように、ローディングユニット７０を矢印Ａ２方向に傾けて、ローディングユニット７０をフィーディングポジションに移動させる。これにより、図１０（ｂ）に示されるように、第１把持ユニット７１が水平面に対して平行になる。また、制御部９ｂは、図１０（ｂ）に示されるように、ローディングユニット移動フレーム５１を矢印Ａ３方向に移動させて、ローディングユニット移動フレーム５１をフィルム搬送機構６に近づく第２位置に位置させる。
【００６４】
続いて、制御部９ｂは、図１１（ａ）に示されるように、第１フィーダユニット６１の導入ユニット２２Ａを矢印４Ａ方向に揺動させて、導入ユニット２２Ａを下位置に位置させる。これにより、導入ユニット２２Ａは、第１把持ユニット７１に把持されたフィルムＦ１を下ベルト２３Ａとの間で挟持する。
【００６５】
続いて、制御部９ｂは、下ベルト２３Ａのプーリ２１ｃを駆動させる駆動モータを作動させる。これにより、第１フィーダユニット６１は、フィルムＦ１を導入すると共に、フィルムＦ１を下ベルト２３Ａと上ベルト２４Ａとの間に巻き込みながら下流に搬送する。また、制御部９ｂは、図１１（ａ）に示されるように、ローディングユニット移動フレーム５１を矢印Ａ５方向に移動させて、ローディングユニット移動フレーム５１をフィルム搬送機構６から離れる第１位置に位置させる。
【００６６】
制御部９ｂは、第１フィーダユニット６１においてフィルムＦ１を所定量だけ搬送させると、例えば、中流域クランプ２６Ａのソレノイドをオンにする。これにより、中流域クランプ２６Ａは、帯板２１ａとの間でフィルムＦ１を挟持する。制御部９ｂは、中流域クランプ２６ＡによりフィルムＦ１を挟持させた状態で、更に、第１フィーダユニット６１においてフィルムＦ１を搬送させる。これにより、フィルムＦ１は、下ベルト２３Ａと上ベルト２４Ａとの間で停滞する。
【００６７】
また、制御部９ｂは、第２フィーダユニット６２の導入ユニット２２Ｂを上位置に位置させた状態で、下ベルト２３Ｂのプーリ２１ｃを駆動させる駆動モータを作動させ、フィルムＦ１を挟持しない状態でフィルムＦ１を下ベルト２３Ｂと上ベルト２４Ｂとの間に巻き込みながら下流に搬送させる。なお、第２フィーダユニット６２がフィルムＦ１の搬送を開始するタイミングは、第１フィーダユニット６１がフィルムＦ１の搬送を開始させるタイミングと同時であってもよいし、第１フィーダユニット６１がフィルムＦ１の搬送を開始させた後であってもよい。
【００６８】
そして、制御部９ｂは、第２フィーダ移動ユニット６４の駆動モータ６４ａを駆動させて、第２フィーダユニット６２を、図１２（ａ）に示される位置から図１２（ｂ）に示される位置まで、奥側（第１フィーダユニット６１から離れる方向）に移動させる。このとき、制御部９ｂは、図１２（ｂ）において破線で示されるように、第２フィーダユニット６２がフィルム幅の例えば１／２の位置に到達したときに、導入ユニット２２Ｂを下位置に位置させる。これにより、第２フィーダユニット６２は、導入ユニット２２Ｂによってフィルム幅の１／２の位置からフィルムＦ１を挟持しつつ、下ベルト２３Ｂ及び上ベルト２４ＢによりフィルムＦ１を搬送する。
【００６９】
制御部９ｂは、第２フィーダユニット６２をフィルム幅方向の端部（図１２（ｂ）に示す位置）にまで移動させた後、第２フィーダユニット６２に所定量のフィルムＦ１が導入されると、図１１（ｂ）に示されるように、カッター機構７を動作させる。これにより、フィルム送り出し機構５と、フィルム搬送機構６との間に掛け渡されたフィルムＦ１が切断される。制御部９ｂは、フィルムＦ１が切断されると、第１フィーダユニット６１の導入ユニット２２Ａ及び第２フィーダユニット６２の導入ユニット２２ＢによるフィルムＦ２の挟持を解除させる。以上により、フィルムＦ１のローディング処理が終了する。
【００７０】
以上説明したように、本実施形態に係る包装装置１では、制御部９ｂは、フィルムＦを第１フィーダユニット６１及び第２フィーダユニット６２にローディングするときに、フィルム送り出し機構５により送り出されたフィルムＦ１を導入ユニット２２Ａで挟持すると共に下ベルト２３Ａ及び上ベルト２４ＡによりフィルムＦを搬送させつつ、導入ユニット２２Ｂを開放した状態（フィルムＦを挟持しない状態）で下ベルト２３Ｂ及び上ベルト２４ＢによりフィルムＦを搬送させると共に、第２フィーダユニット６２を第１フィーダユニット６１に対して離間する方向に移動させ、第２フィーダユニット６２がフィルム幅方向において所定位置に到達したときに導入ユニット２２ＢによりフィルムＦを挟持させる。
【００７１】
これにより、フィルムＦは、第２フィーダユニット６２がフィルム幅方向の所定の位置に到達するまでは、導入ユニット２２Ｂに挟持されない。そのため、少なくとも所定の位置まではフィルムＦが下ベルト２３Ｂ及び上ベルト２４Ｂに貼り付くことを抑制でき、下ベルト２３Ｂ及び上ベルト２４Ｂ内にフィルムＦの束が発生することを抑制できる。したがって、包装装置１では、フィルム詰まりによる不具合の発生を抑制できる。
【００７２】
本実施形態では、フィルム送り出し機構５と第１フィーダユニット６１及び第２フィーダユニット６２との間でフィルムＦを切断するカッター機構７を備える。制御部９ｂは、カッター機構７によってフィルムＦを切断させた後、導入ユニット２２Ａ及び導入ユニット２２ＢによるフィルムＦの挟持を解除させる。これにより、切断されたフィルムＦを、作業者が容易に取り除くことができる。
【００７３】
本実施形態では、制御部９ｂは、第２フィーダユニット６２がフィルム幅方向においてフィルム幅の１／２以上の位置に到達したときに、導入ユニット２２ＢによりフィルムＦを挟持させる。これにより、フィルムＦが下ベルト２３Ｂ及び上ベルト２４Ｂに貼り付くことをより一層抑制できる。
【００７４】
本発明は、上記実施形態に限定されない。上記実施形態では、計量と包装と値付とを実行する計量包装値付装置を包装装置１として説明したが、包装装置１は、計量及び／又は値付を実行しない構成であってもよい。
【００７５】
上記実施形態では、第２フィーダユニット６２がフィルム幅方向において所定位置（例えば、フィルム幅の１／２以上の位置）に到達したときに導入ユニット２２ＢによりフィルムＦを挟持させる形態を一例に説明した。しかし、制御部９ｂは、フィルム幅方向において所定位置に到達するまでは、フィルムＦを導入ユニット２２Ｂで断続的に挟持させるように制御してもよい。断続的に挟持させるとは、一定又は不定のタイミングでフィルムＦの挟持及び挟持の解除を行うことを意味する。フィルムＦを挟持する時間は、適宜設定されればよい。また、導入ユニット２２ＢにおいてフィルムＦの挟持が連続的に開始される所定位置は、設計に応じて適宜設定されればよい。
【符号の説明】
【００７６】
１…包装装置、５…フィルム送り出し機構（送出部）、７…カッター機構（切断部）、９ｂ…制御部、２２Ａ…導入ユニット（第１クランプ部）、２２Ｂ…導入ユニット（第２クランプ部）、２３Ａ…下ベルト（第１フィーダ部）、２３Ｂ…下ベルト（第２フィーダ部）、２４Ａ…上ベルト（第１フィーダ部）、２４Ｂ…上ベルト（第２フィーダ部）、６１…第１フィーダユニット（第１搬送部）、６２…第２フィーダユニット（第２搬送部）、６３…第１フィーダ移動ユニット（第１移動部）、６４…第２フィーダ移動ユニット（第２移動部）、Ｆ，Ｆ１，Ｆ２…フィルム、Ｗ…対象物（被包装物）。
【図１】
0006689586.tif 000002
【図２】
0006689586.tif 000003
【図３】
0006689586.tif 000004
【図４】
0006689586.tif 000005
【図５】
0006689586.tif 000006
【図６】
0006689586.tif 000007
【図７】
0006689586.tif 000008
【図８】
0006689586.tif 000009
【図９】
0006689586.tif 000010
【図１０】
0006689586.tif 000011
【図１１】
0006689586.tif 000012
【図１２】
0006689586.tif 000013